(57)【要約】【課題】複数の吹出口から吹き出される気流をユーザが任意に調節する際に、調節対象となる気流を分かり易く選択可能な空気調和機のリモコン装置を提供するようにする。【解決手段】室内機本体２０の中央と左右にそれぞれ送風ファンと吹出口とが個別に配置され、各吹出口からの気流の風向と風量を個別に調節可能な空気調和機本体を運転操作する空気調和機のリモコン装置１０であって、運転操作画面を表示する表示部１４と、各吹出口から吹き出される気流の風向と風量を個別に調節する際に、表示部１４に各送風ファンの風向と風量をそれぞれ調節するための選択画面を表示するように制御する制御部１１と、選択画面に表示される調節対象の選択を行う操作キー部１３とを備え、調節対象となる気流の吹出口を強調表示させる。【選択図】図３
2014115002.tif 000002
【特許請求の範囲】
【請求項１】
室内機本体の中央と左右にそれぞれ送風ファンと吹出口が個別に配置され、各吹出口から吹き出される気流の風向と風量とを個別に調節可能な空気調和機本体の運転操作を行う空気調和機のリモコン装置であって、
運転操作画面を表示する表示部と、
前記各吹出口から吹き出される気流の風向と風量を個別に調節する際に、前記表示部に前記気流の風向と風量をそれぞれ調節する前記送風ファンの選択画面を表示するように制御する制御部と、
前記選択画面において調節対象の選択を行う操作キー部と、
を備え、
前記制御部は、前記表示部に表示される選択画面に各吹出口を含む前記室内機の画像を表示させると共に、前記各吹出口のうち選択に合せて調節対象となる気流の吹出口を強調表示させることを特徴とする空気調和機のリモコン装置。
【請求項２】
前記制御部は、前記表示部に表示される選択画面において、吹出口が強調表示された前記室内機の画像と共に、当該吹出口に対応する送風ファンの名称を同じ画面に表示させることを特徴とする請求項１に記載の空気調和機のリモコン装置。
【請求項３】
前記選択画面における強調表示は、調節対象となる気流の吹出口の部分の枠の太さや線の種類を変えたり、あるいは吹出口部分に濃淡を付けることで調節対象外の吹出口と異なるように表示させることを特徴とする請求項１または２に記載の空気調和機のリモコン装置。
【請求項４】
前記操作キー部は、前記空気調和機本体を運転操作する際に、前記各吹出口から吹き出される気流の風量と風向とを任意に調節する手動設定モードを選択する手動設定キーを備え、
前記制御部は、前記手動設定キーが押下されると、調節対象となる気流の吹出口の送風ファンを選択する画面を前記表示部に表示させ、前記操作キー部により調節を行う送風ファンが選択されると、当該選択された送風ファンの風向調節画面および風量調節画面を順次表示させる事で、前記各吹出口の気流調節を個別に行うようにすることを特徴とする請求項１〜３のいずれか一つに記載の空気調和機のリモコン装置。
【発明の詳細な説明】
【技術分野】
【０００１】
本発明は、複数の吹出口から吹き出される気流の調節を行う空気調和機のリモコン装置に関する。
【背景技術】
【０００２】
従来の空気調和機では、冷房運転や暖房運転などが選択されると、それぞれの運転モードに応じて室内機の吹出口から吹き出される気流の風向と風量が最良となるように気流調節が自動で行われる自動モードの他、吹出口から吹き出される気流調節をユーザが任意に行う手動モードがある。
【０００３】
また、最近の空気調和機では、複数の吹出口を備えたものがあり、より細かい気流制御が可能となっている。この種の空気調和機としては、吹き出す気流が複数の部分気流で構成されていて、上下風向制御板と左右風向制御板がそれぞれ左右２つに独立しているため、吹き出される調和空気の気流も左右独立した部分気流となって吹き出される（例えば、特許文献１参照）。
【先行技術文献】
【特許文献】
【０００４】
【特許文献１】特開２０１２−４２１３８号公報
【発明の概要】
【発明が解決しようとする課題】
【０００５】
しかしながら、特許文献１の空気調和機にあっては、複数の吹出口から吹き出される気流の風向と風量を表示する際に、記憶部に記憶されている左右２つの気流図形パターンの中から該当するパターンを読み出してリモコン装置の表示部に表示させているが、ユーザが任意で気流調節を行う場合、複数の気流の中から調節したい気流をどのように選択するかについては明確な記載が無かった。
【０００６】
仮に、左右の吹出口やファン、あるいは気流の名称等で調節する気流を特定しようとすると、室内機のどの吹出口から吹き出される気流のことを指しているのか分かり難く、例えば名称に「左右」という文言が使われている場合、ユーザから見た場合の左右なのか、空気調和機側から見た左右なのかが分かりに難いという問題があった。
【０００７】
本発明は、上記に鑑みてなされたものであって、複数の吹出口から吹き出される気流をユーザが任意に調節する場合に、調節対象となる気流を分かり易く選択することが可能な空気調和機のリモコン装置を提供することを目的とする。
【課題を解決するための手段】
【０００８】
上述した目的を達成するために、本発明の空気調和機のリモコン装置は、室内機本体の中央と左右にそれぞれ送風ファンと吹出口が個別に配置され、各吹出口から吹き出される気流の風向と風量とを個別に調節可能な空気調和機本体の運転操作を行う空気調和機のリモコン装置であって、運転操作画面を表示する表示部と、前記各吹出口から吹き出される気流の風向と風量を個別に調節する際に、前記表示部に前記気流の風向と風量をそれぞれ調節する前記送風ファンの選択画面を表示するように制御する制御部と、前記選択画面において調節対象の選択を行う操作キー部と、を備え、前記制御部は、前記表示部に表示される選択画面に各吹出口を含む前記室内機の画像を表示させると共に、前記各吹出口のうち選択に合せて調節対象となる気流の吹出口を強調表示させることを特徴とする。
【０００９】
また、本発明の空気調和機のリモコン装置では、前記制御部は、前記表示部に表示される選択画面において、吹出口が強調表示された前記室内機の画像と共に、当該吹出口に対応する送風ファンの名称を同じ画面に表示させることを特徴とする。
【００１０】
また、本発明の空気調和機のリモコン装置では、前記選択画面における強調表示は、調節対象となる気流の吹出口の部分の枠の太さや線の種類を変えたり、あるいは吹出口部分に濃淡を付けることで調節対象外の吹出口と異なるように表示させることを特徴とする。
【００１１】
また、本発明の空気調和機のリモコン装置では、前記操作キー部は、前記空気調和機本体を運転操作する際に、前記各吹出口から吹き出される気流の風量と風向とを任意に調節する手動設定モードを選択する手動設定キーを備え、前記制御部は、前記手動設定キーが押下されると、調節対象となる気流の吹出口の送風ファンを選択する画面を前記表示部に表示させ、前記操作キー部により調節を行う送風ファンが選択されると、当該選択された送風ファンの風向調節画面および風量調節画面を順次表示させる事で、前記各吹出口の気流調節を個別に行うようにすることを特徴とする。
【発明の効果】
【００１２】
本発明の空気調和機のリモコン装置によれば、室内機本体の中央と左右にそれぞれ送風ファンと吹出口が個別に配置され、各吹出口から吹き出される気流の風向と風量とを個別に調節可能な空気調和機本体の運転操作を行う空気調和機のリモコン装置であって、運転操作画面を表示する表示部と、各吹出口から吹き出される気流の風向と風量を個別に調節する際に、表示部に前記気流の風向と風量をそれぞれ調節する送風ファンの選択画面を表示するように制御する制御部と、選択画面において調節対象の選択を行う操作キー部と、を備え、制御部は、表示部に表示される選択画面に各吹出口を含む室内機の画像を表示させると共に、各吹出口のうち選択に合せて調節対象となる気流の吹出口を強調表示させる。このように、複数の吹出口からの気流の風向と風量を個別に調節する調節画面には、室内機の画像に調節対象となる気流の吹出口を強調表示し、調節対象でない送風ファンと区別できるようにしたため、複数の吹出口の中から調節対象となる気流を容易に把握して、調節することができるという効果を奏する。
【図面の簡単な説明】
【００１３】
【図１】図１は、本発明の一実施例にかかる空気調和機の室内機とリモコン装置とを表す外観斜視図である。
【図２】図２は、本実施例の空気調和機本体の室内機および室外機における概略構成を表すブロック図である。
【図３】図３は、本実施例の空気調和機のリモコン装置および室内機における機能を表すブロック図である。
【図４−１】図４−１は、本実施例にかかる空気調和機のリモコン装置の平面図である。
【図４−２】図４−２は、図４−１の空気調和機のリモコン装置の詳細設定キーを表す平面図である。
【図５】図５は、本実施例にかかる空気調和機のリモコン装置の運転操作における動作を説明するフローチャートである。
【図６】図６は、本実施例にかかる空気調和機のリモコン装置の表示部に表示される室内機画像の図である。
【図７】図７は、本実施例にかかる空気調和機のリモコン装置の表示部に表示される冷房運転中の画像例の図である。
【図８】図８は、本実施例にかかる空気調和機のリモコン装置の表示部に表示される除湿運転中の画像例の図である。
【図９−１】図９−１は、本実施例にかかる空気調和機のリモコン装置の表示部に表示される暖房運転中の画像例の図である。
【図９−２】図９−２は、本実施例にかかる空気調和機のリモコン装置の表示部に表示される暖房運転中の画像例の図である。
【図１０】図１０は、本実施例にかかる空気調和機のリモコン装置の表示部に表示される送風運転中の画像例の図である。
【図１１】図１１は、本実施例にかかる空気調和機のリモコン装置の表示部に表示されるファン選択画面で左サイドファンを選択した場合の画面例の図である。
【図１２】図１２は、本実施例にかかる空気調和機のリモコン装置の表示部に表示されるファン選択画面で中央ファンを選択した場合の画面例の図である。
【図１３】図１３は、本実施例にかかる空気調和機のリモコン装置の表示部に表示されるファン選択画面で右サイドファンを選択した場合の画面例の図である。
【図１４】図１４は、本実施例にかかる空気調和機のリモコン装置の表示部に表示される左サイドファンの風向設定画面例の図である。
【図１５】図１５は、本実施例にかかる空気調和機のリモコン装置の表示部に表示される中央ファンの風向設定画面例の図である。
【図１６】図１６は、本実施例にかかる空気調和機のリモコン装置の表示部に表示される右サイドファンの風向設定画面例の図である。
【図１７】図１７は、本実施例にかかる空気調和機のリモコン装置の表示部に表示される左サイドファンの風量設定画面例の図である。
【図１８】図１８は、本実施例にかかる空気調和機のリモコン装置の表示部に表示される中央ファンの風量設定画面例の図である。
【図１９】図１９は、本実施例にかかる空気調和機のリモコン装置の表示部に表示される右サイドファンの風量設定画面例の図である。
【発明を実施するための形態】
【００１４】
以下に、本発明にかかる空気調和機のリモコン装置の実施例を図面に基づいて詳細に説明する。なお、この実施例によりこの発明が限定されるものではない。
【００１５】
図１は、本発明の一実施例にかかる空気調和機の室内機とリモコン装置とを表す外観斜視図であり、図２は、本実施例の空気調和機本体の室内機および室外機における概略構成を表すブロック図であり、図３は、本実施例の空気調和機のリモコン装置および室内機における機能を表すブロック図であり、図４−１は、本実施例にかかる空気調和機のリモコン装置の平面図であり、図４−２は、図４−１の空気調和機のリモコン装置の詳細設定キーを表す平面図である。
【００１６】
図１に示すように、本実施例に用いられる空気調和機の室内機２０は、本体ユニット２６３とその両側に左ファンユニット２６１と右ファンユニット２６２とを備える。室内機２０の本体ユニット２６３は、主筐体２７を備える。主筐体２７では、筐体本体２８に外装パネル２９が覆い被さる。筐体本体２８には、中央吹出口３０が形成される。外装パネル２９の上部には、図示しない吸込口が形成される。中央吹出口３０は、下向きに開口している。このような筐体本体２８は、例えば室内の壁面に固定することができる。その際、中央吹出口３０は、前端３０ａは後端３０ｂに比べて上方の位置に配置される。その結果、中央吹出口３０は、所定の傾斜角αで前上がりの姿勢に形成される。このような傾斜角αの働きで、気流は中央吹出口３０から床面に向かって下向きに吹き出すことができるだけでなく、床面に対して平行（水平方向）に吹き出すこともできる。
【００１７】
そして、中央吹出口３０には、前後一対の上下風向板３１ａ、３１ｂが配置される。上下風向板３１ａ、３１ｂは、それぞれ水平軸線３２ａ、３２ｂ回りで回転することができる。これら水平軸線３２ａ、３２ｂは、上下風向板３１ａ、３１ｂの後端に設定されればよい。回転に応じて上下風向板３１ａ、３１ｂは、中央吹出口３０を開閉することができる。
【００１８】
また、筐体本体２８の両側面には、個別に左ファンユニット２６１と右ファンユニット２６２が設置される。つまり、左ファンユニット２６１と右ファンユニット２６２は、筐体本体２８の側壁の外側に配置される。左ファンユニット２６１は、左サイドファン筐体３３１を備えており、左吹出口３４１が形成されている。右ファンユニット２６２は、右サイドファン筐体３３２を備えており、右吹出口３４２が形成されている。この左吹出口３４１と右吹出口３４２は、不図示の駆動機構によって、水平軸線３５回りでそれぞれ回転することができる。上記した水平軸線３２ａ、３２ｂと水平軸線３５とは、図１に示すように、相互に平行に延びている。筐体３３１と筐体３３２の側面には、サイドパネル３６が覆い被さる。このサイドパネル３６には、側面吸込口３７が形成される。側面吸込口３７は、図１に示すように、例えば複数の小開口を集合させて形成する。
【００１９】
本実施例にかかる空気調和機は、上記した室内機２０との間で無線による双方向通信により遠隔から運転操作が行えるリモコン装置１０を備えている。
【００２０】
本実施例にかかる空気調和機の室内機および室外機は、図２に示すように構成されている。上記した室内機２０の本体ユニット２６３内には、室内熱交換器２６４および中央送風ファン２６５が組み込まれる。中央送風ファン２６５は、クロスフローファンの回転に応じて気流を生成する。本体ユニット２６３には、中央送風ファン２６５の働きにより室内空気が吸い込まれ、室内熱交換器２６４で冷媒と熱交換を行って通り抜ける。この室内熱交換器２６４を通り抜けた後の冷気または暖気の気流は、本体ユニット２６３の中央吹出口３０から吹き出される。また、室内熱交換器２６４を通り抜けた気流の流量は、クロスフローファンの毎分回転数に応じて調整される。室内熱交換器２６４では、この気流の流量に応じて冷媒と空気との間で交換される熱エネルギー量を調整することができる。
【００２１】
室外機４０の冷凍回路４１は、図２に示すように、四方弁４２、圧縮機４３、室外熱交換機４４、膨張弁４５、室外ファン４６、および冷媒管５０などで構成されている。例えば、冷凍回路４１で冷房運転が設定されると、四方弁４２は、第２口４２ｂおよび第３口４２ｃを相互に接続し、第１口４２ａおよび第４口４２ｄを相互に接続する。これにより、圧縮機４３の吐出管４３ｂから高温高圧の冷媒が室外熱交換機４４に供給される。冷媒は、室外熱交換機４４、膨張弁４５および室内熱交換器２６４を順番に流通する。室外熱交換機４４では、冷媒の熱エネルギーが外気に放出される。冷媒は、膨張弁４５で低圧まで減圧され、室内熱交換器２６４において周囲の空気から吸熱する。これにより生成された冷気は、中央送風ファン２６５の働きで室内空間に流される。室内熱交換器２６４で吸熱した冷媒は、四方弁４２を介して圧縮機４３に戻される。
【００２２】
また、冷凍回路４１で暖房運転が設定されると、四方弁４２は、第２口４２ｂおよび第４口４２ｄを相互に接続し、第１口４２ａおよび第３口４２ｃを相互に接続する。これにより、圧縮機４３の吐出管４３ａから高温高圧の冷媒が室内熱交換器２６４に供給される。冷媒は、室内熱交換器２６４、膨張弁４５および室外熱交換機４４を順番に流通する。室内熱交換機２６４では、冷媒の熱エネルギーが周囲の空気に放出され、暖気が生成される。暖気は、中央送風ファン２６５の働きで室内空間に流される。冷媒は、膨張弁４５で低圧まで減圧され、室外熱交換器４４において周囲の空気から吸熱する。その後、冷媒は圧縮機４３に戻される。
【００２３】
このように、本実施例にかかる空気調和機の左ファンユニット２６１および右ファンユニット２６２は、本体ユニット２６３とは独立して設けられ、ファンと吹出口とをそれぞれ備えているため、各吹出口から吹き出される空気の風向・風量を個別に制御することが可能となる。中央吹出口３０から吹き出される空気は、熱交換器２６４を通り抜けた冷気または暖気の気流であり、左吹出口３４１と右吹出口３４２から吹き出される空気は、吸い込んだ室内空気をそのまま吹き出した気流である。
【００２４】
そして、冷房運転の場合、中央吹出口３０から吹き出される比重の重い冷気を上向きに吹き出し、左吹出口３４１と右吹出口３４２からの気流は、中央吹出口３０からの気流より暖かいため、中央吹出口３０から吹き出される方向より下方に向けて吹き出すことで、冷気を下から持ち上げて天井付近に広く拡げ、冷気を室内にむらなく循環させることができるともに、風向の向きによってはユーザに涼風を当てる役目をする。この場合の各吹出口から吹き出す気流をリモコン装置の表示部で表すと図７となる。
【００２５】
また、暖房運転の場合、冷房運転の場合とは逆となり、中央吹出口３０から吹き出される比重の軽い暖気を床面方向に吹き出し、左吹出口３４１と右吹出口３４２からの気流は、中央吹出口３０からの気流より冷たいため、中央吹出口３０から吹き出される方向より上方に向けて吹き出すことで、暖気を上から抑えつけて暖気を床面に広く拡げて、暖気を室内にむらなく循環させることができる。この場合の各吹出口から吹き出す気流をリモコン装置の表示部で表すと図９−１となる。ただし、実際には、左吹出口３４１と右吹出口３４２からの気流を上に向け過ぎると、中央吹出口３０からの暖気を抑える効果がなくなるため、左吹出口３４１と右吹出口３４２からの気流は、中央吹出口３０からの気流より少し上向きにする程度なので、リモコン装置の表示部では図９−２のようにして表示する。
【００２６】
上記した空気調和機は、図３に示すように、リモコン装置１０と室内機２０との間で無線による双方向通信を行うことで運転を遠隔操作することができる。室内機２０には、この室内機２０の各部、および室外機４０を制御する制御部２１を備えている。また、室内機２０は、リモコン装置１０からの操作信号を受信すると共に、リモコン装置１０に対して運転情報を送信する送受信部２２、空気調和機の制御に関わるプログラムやデータを記憶する記憶部２３、制御部２１からの制御信号を室外機４０へ送信すると共に、室外機４０からの運転情報を受信して制御部２１にその情報を送る通信部２４、室温を計測する温度センサや人を感知する人感センサなどの検知部２５、および制御部２１からの制御信号に基づいて室外機４０と協働して室内の熱交換を行って空調を行う運転部２６などを備えている。
【００２７】
リモコン装置１０には、ユーザの操作に従って空気調和機本体の制御や後述する表示部に表示する画像データの表示制御を行う制御部としてのリモコン制御部１１、リモコン装置１０の制御に関わるプログラムやデータを記憶し、かつ空気調和機の現在の設定値等を記憶する記憶部１２、ユーザの操作を受け付ける操作キー部１３、運転情報などの情報やユーザが操作する際の操作画面を表示する表示部１４、ユーザの操作に従って操作信号を室内機２０に送信すると共に、室内機２０からの運転情報を受信する送受信部１５、および時刻や時間を計時するタイマ部１６などを備えている。
【００２８】
リモコン装置１０の表面には、図４−１に示すように、運転情報などをドットマトリクスで表示するＬＣＤ（液晶ディスプレイ）や有機ＥＬ（有機エレクトロルミネッセンス）などで構成された表示部１４と、各種の運転操作を受け付ける多数の操作キー部１３とが配置されている。操作キー部１３には、気流調整を行う際の選択に用いる十字キー１３ａ、選択した内容を決定する決定キー１３ｂ、各種運転モードに適した既定の風向や風量に自動的に行う自動設定モードにするおまかせキー１３ｃ、風向や風量をユーザが任意に手動設定モードにするおこのみキー１３ｄ、運転開始と運転停止を行う運転／停止キー１３ｅ、上下の矢印ボタンで設定温度を変更する温度キー１３ｆ、風量の変更設定を行う風量キー１３ｇ、現在の室温や電気代などの情報を室内機２０に確認し、室内機２０からの受信した情報を表示部１４に表示させるおしらせキー１３ｈ、冷房運転モードでの運転開始や他の運転モードから冷房運転モードに切り換える冷房キー１３ｉ、除湿運転モードでの運転開始や他の運転モードから除湿運転モードに切り換える除湿キー１３ｋ、暖房運転モードでの運転開始や他の運転モードから暖房運転モードに切り換える暖房キー１３ｊ、および送風運転モードでの運転開始や他の運転モードから送風運転モードに切り換える送風キー１３ｍなどがある。
【００２９】
リモコン装置１０の操作キー部１３の蓋１３ｎを開けると、図４−２に示すように、中には詳細設定キーが配置されている。詳細設定キーには、環境温度に応じて暖房運転か冷房運転かを自動選択するモードに切り換える自動運転キー１３ｏ、洗濯物などの乾燥に用いるランドリーキー１３ｐ、インバータ駆動によるピーク電流を抑えて運転することでブレーカーの切断を防いだり、省エネ運転を図る電流カットキー１３ｑ、時間によってエアコンの動作を制御するタイマキー１３ｔ、急速な加熱や冷却を行うハイパワーキー１３ｒ、および人感センサにより人が不在になった場合にエアコンの運転を停止あるいはセーブする不在ＥＣＯキー１３ｓなどがある。
【００３０】
上述のように構成された本実施例の空気調和機のリモコン装置を用いて、以下に動作を説明する。図５は、本実施例にかかる空気調和機のリモコン装置の運転操作における動作を説明するフローチャートであり、図６は、本実施例にかかる空気調和機のリモコン装置の表示部に表示される室内機画像の図であり、図７は、本実施例にかかる空気調和機のリモコン装置の表示部に表示される冷房運転中の画像例の図であり、図８は、本実施例にかかる空気調和機のリモコン装置の表示部に表示される除湿運転中の画像例の図であり、図９−１、および図９−２は、本実施例にかかる空気調和機のリモコン装置の表示部に表示される暖房運転中の画像例の図であり、図１０は、本実施例にかかる空気調和機のリモコン装置の表示部に表示される送風運転中の画像例の図であり、図１１は、本実施例にかかる空気調和機のリモコン装置の表示部に表示されるファン選択画面で左サイドファンを選択した場合の画面例の図であり、図１２は、本実施例にかかる空気調和機のリモコン装置の表示部に表示されるファン選択画面で中央ファンを選択した場合の画面例の図であり、図１３は、本実施例にかかる空気調和機のリモコン装置の表示部に表示されるファン選択画面で右サイドファンを選択した場合の画面例の図であり、図１４は、本実施例にかかる空気調和機のリモコン装置の表示部に表示される左サイドファンの風向設定画面例の図であり、図１５は、本実施例にかかる空気調和機のリモコン装置の表示部に表示される中央ファンの風向設定画面例の図であり、図１６は、本実施例にかかる空気調和機のリモコン装置の表示部に表示される右サイドファンの風向設定画面例の図であり、図１７は、本実施例にかかる空気調和機のリモコン装置の表示部に表示される左サイドファンの風量設定画面例の図であり、図１８は、本実施例にかかる空気調和機のリモコン装置の表示部に表示される中央ファンの風量設定画面例の図であり、図１９は、本実施例にかかる空気調和機のリモコン装置の表示部に表示される右サイドファンの風量設定画面例の図である。
【００３１】
まず、図４−１のリモコン装置１０の運転／停止キー１３ｅを押下すると、出荷時に設定された運転モード、あるいは前回停止時の運転モードでエアコン運転を開始する（図５のステップＳ１００）。また、ユーザが図４−１のリモコン装置１０の冷房キー１３ｉ、除湿キー１３ｋ、暖房キー１３ｊ、送風キー１３ｍ、あるいは、図４−２の自動運転キー１３ｏのいずれかのキーを押下すると、指定された運転モードでエアコン運転が開始される（ステップＳ１００）。
【００３２】
本実施例では、上記した冷房キー１３ｉによる冷房運転モード、除湿キー１３ｋによる除湿運転モード、暖房キー１３ｊによる暖房運転モード、および送風キー１３ｍによる送風運転モードのいずれかの運転中に、風向や風量を手動で設定するおこのみキー１３ｄが押下された場合について説明する。開始された運転モードが冷房運転の場合は、図７に示すように、冷房運転中であることを表す表示がリモコン装置１０の表示部１４に表示される（ステップＳ１０１）。
【００３３】
リモコン装置１０の表示部１４に表示される冷房運転中表示は、図７に示すように、表示部の画面上部に運転モードの種類である「冷房」の文字を表示し、その下に室内機２０を斜め横方向から見た画像を表示している。この画像を抜き出して拡大した図が図６である。本実施例のリモコン装置１０の記憶部１２には、室内機２０を斜め横方向から見た奥行き感のある立体的な画像データを記憶部１２に予め作成して記憶させてある。リモコン制御部１１は、記憶部１２からその画像データを読み出して表示画像を作成する。
【００３４】
本実施例のリモコン装置１０の表示部１４の表示面は、２次元であるが、遠近法を使って室内機２０を斜め横方向から見た画像を表示させることで奥行き感のある立体的な画像に見せることができる。また、室内機２０の奥行き方向に配置された複数の吹出口から気流を吹き出している場合は、手前側の気流で奥側の気流を隠すように重ねて表示することにより奥行き感を表現することができる。冷房運転中で自動設定モードによる推奨される気流状態は、図６のようになり、手動設定モードでも同様に設定できる。図６に示す気流状態は、本体ユニット２６３の中央吹出口３０から吹き出す気流（冷気）２６３０を上向きにし、左ファンユニット２６１の左吹出口３４１から吹き出す気流（室内空気）２６１０と、右ファンユニット２６２の右吹出口３４２から吹き出す気流（室内空気）２６２０とをそれぞれ下向きにすることが望ましいが、ユーザの好みに応じて各吹出口からの気流の風向・風量を手動で設定することも可能である。
【００３５】
また、本実施例のリモコン装置１０のリモコン制御部１１は、図６に示すように、表示部１４に上向きの気流２６３０を薄い網点で灰色の表示をし、下向きの気流を濃い網点で黒色の表示をさせるように制御することができる。このように、気流方向の違いを濃淡によって表示させることで、容易に識別が可能となる。気流方向の違いは、濃淡表示以外にも、例えばハッチングやドットといった表現形態を変えることで識別可能にしてもよい。また、表示部１４にカラー表示可能なディスプレイ（ＬＣＤや有機ＥＬなど）を用いるならば、気流方向の違いを色の違い（例えば、緑色と黄色）で表現してもよい。
【００３６】
特定の吹出口から吹き出される気流の風向や風量をユーザが任意に設定する場合は、図４−１に示すリモコン装置１０のおこのみキー１３ｄを押下して、自動設定モードから手動設定モードに切り換える（ステップＳ１０２でＹｅｓ）。
【００３７】
手動設定モードに切り換わると、リモコン制御部１１は、表示部にファン選択画面を表示させる（ステップＳ１０３）。ファン選択画面では、図１１に示すように、十字キー１３ａを操作し、「左サイドファン」の名称の上にカーソルを合わせることにより、室内機を表す画像の中の左サイドファンの枠を実線で太く強調表示し、それ以外のファンの枠を破線で表示する。
【００３８】
また、リモコン装置１０の十字キー１３ａを操作しファン選択画面のカーソルを「中央ファン」の名称の上に合わせると、図１２に示すように、室内機の画像の中央ファンの枠を実線で太く強調表示し、それ以外の両サイドファンの枠を破線で表示する。
【００３９】
さらに、リモコン装置１０の十字キー１３ａを使ってファン選択画面のカーソルをもう一つ下の「右サイドファン」の名称の上に合わせると、図１３に示すように、室内機の画像の右サイドファンの枠を実線で太く強調表示し、それ以外のファンの枠を破線で表示する。これにより、調節対象となる気流を生成するファンの名称と室内機の画像のファンの位置を示すことでユーザに分かり易い表示とすることができる。
【００４０】
このように、気流調節キーの十字キー１３ａを使って気流調節を行うファンを選択した後、決定キー１３ｂを押下すると、当該ファンが調節対象のファンとなる（ステップＳ１０４）。リモコン制御部１１は、調節対象のファンが決定されると、表示部１４に風向設定画面を表示させる（ステップＳ１０５）。この風向設定画面では、図１４に示すように、設定内容が「風向」であることを表示し、その下に室内機の画像で調節対象が左サイドファンであることを強調表示すると同時に、文字で「左サイドファン」であることを表示している。さらにその下には、室内機を側面方向から見た上下風向調節用の画像と、室内機を正面から見た左右風向調節用の画像を表示している。上下の風向調節は、十字キー１３ａの上下矢印を使って所望の角度に調節し、左右の風向調節は、十字キー１３ａの左右矢印を使って所望の方向に調節した後、決定キー１３ｂを押下することで決定される（ステップＳ１０６）。
【００４１】
左サイドファンの風向調節動作の完了後、リモコン制御部１１は、表示部１４に風量設定画面を表示させる（ステップＳ１０７）。この風量設定画面には、図１７に示すように、設定内容が「風量」であることを表示し、その下に室内機の画像で調節対象が左サイドファンであることを強調表示すると同時に、文字で「左サイドファン」であることを表示している。風量設定画面のさらにその下は、風量の選択項目が複数並んでおり（「強風」、「弱風」、「微風」、「静音」、「停止」の５項目）、リモコン１０の十字キー１３ａの上下矢印を使ってカーソルを移動させ、所望の風量の上で決定キー１３ｂを押下することで決定される（ステップＳ１０８）。
【００４２】
ここまでは、ファン選択画面で選択された「左サイドファン」の風向と風量を設定したが、他のファンの風向と風量の設定を行う場合は（ステップＳ１０９でＹｅｓ）、ステップＳ１０２に戻って、上記と同様に選択したファンの風向・風量設定が行われる。
【００４３】
例えば、リモコン制御部１１が表示したファン選択画面において（ステップＳ１０３）、中央ファンが選択されると（ステップＳ１０４、図１２参照）、中央ファンの風向設定画面を表示し（ステップＳ１０５、図１５参照）、上下左右の風向が設定される（ステップＳ１０６）。リモコン制御部１１は、中央ファンの風向設定後、風量設定画面を表示させ（ステップＳ１０７、図１８参照）、風量が設定される（ステップＳ１０８）。このように、中央ファンの風向と風量設定が完了した後、さらに、他のファンの風向と風量の設定を行う場合は（ステップＳ１０９でＹｅｓ）、再びステップＳ１０２に戻って、風向・風量設定が行われる。
【００４４】
例えば、リモコン制御部１１が表示したファン選択画面において（ステップＳ１０３）、右サイドファンが選択されると（ステップＳ１０４、図１３参照）、右サイドファンの風向設定画面を表示し（ステップＳ１０５、図１５参照）、上下左右の風向が設定される（ステップＳ１０６）。リモコン制御部１１は、右サイドファンの風向設定後、風量設定画面を表示させ（ステップＳ１０７、図１９参照）。風量が設定される（ステップＳ１０８）。このようにして、右サイドファンの風向と風量設定が完了する。
【００４５】
上記した一連の動作により、調整したいファン全ての風向と風量の設定が完了し決定キー１３ｂを押下すると（ステップＳ１０９でＮｏ）、設定された風向と風量に基づく運転中表示が行われる（ステップＳ１１０）。手動設定モードによる風向・風量設定は、あらゆる吹出口の気流の風向・風量をユーザの好みに応じて任意に調節することができる。
【００４６】
リモコン制御部１１は、ステップＳ１１０において設定された風向・風量による運転中に、運転停止キー１３ｅが押下されると（ステップＳ１１１でＹｅｓ）、エアコン運転を停止し（ステップＳ１１２）、運転動作を終了する。
【００４７】
また、ステップＳ１１１において、運転停止キー１３ｅの押下が検出されなければ（ステップＳ１１１でＮｏ）、ステップＳ１０１に戻って、上記処理が繰り返される。
【００４８】
このように、本実施例の空気調和機は、複数の吹出口とファンとによって複数の気流を発生させているが、リモコン制御部１１が表示部１４に室内機を斜め横方向から見た画像を表示させると共に、風向・風量調節後の気流状態を表示させることにより、ユーザはこの表示だけで現在の気流状態を容易かつ正確に把握することができ、これに基づいてさらなる気流調節を行うことが可能となる。気流表示の長さによって風量を表わすことができる。
【００４９】
また、本実施例にかかる空気調和機のリモコン装置にあっては、リモコン制御部１１が表示部１４に表示する風向と風量の調節画面において、室内機２０の画像を表示させ、調節対象となる気流の吹出口を強調表示し、調節対象でない吹出口と区別できるように表示したため、ユーザが任意の気流を調節する際に、どの気流が調節対象となっているかを容易かつ正確に把握することができる。
【００５０】
また、本実施例にかかる空気調和機のリモコン装置にあっては、リモコン制御部１１が表示部１４に表示される風向と風量の調節画面において、吹出口が強調表示された室内機の画像と共に、その吹出口の送風ファンの名称を同じ画面に表示させるようにしたため、ユーザは調節対象となる気流の吹出口の送風ファンの名称と位置とを正確に把握することができる。
【００５１】
また、本実施例にかかる空気調和機のリモコン装置にあっては、調節画面における強調表示は、調節対象となる気流の吹出口の画像の枠の太さや線の種類を変化させたり、吹出口の画像に濃淡を付けたりするなど、状況に応じて強調表示の種類を選ぶことができるため、ユーザから見て容易に区別可能な調節画面を作成することができる。
【００５２】
また、本実施例にかかる空気調和機のリモコン装置にあっては、おこのみキー１３ｄを押下して気流の風量と風向とを任意に調節する手動設定モードに切り換えると、調節対象となる気流の吹出口の送風ファンを選択する画面を表示部１４に表示させ、操作キー部１３によって調節を行う送風ファンが選択されると、その送風ファンの風量調節画面と風向調節画面とを順次表示させて、気流調節を個別に行うようにしたため、ユーザは風向調節と風量調節を行う送風ファンを１つ１つ把握しながら正確に調節することができる。
【産業上の利用可能性】
【００５３】
以上のように、本発明にかかる空気調和機のリモコン装置は、複数の吹出口から吹き出される気流の風量と風向とを任意に調節する場合に有用であり、特に、調節対象となる気流を生成する送風ファンをユーザが正確に把握しながら調節を行うことができる空気調和機のリモコン装置に適している。
【符号の説明】
【００５４】
１０  リモコン装置
１１  リモコン制御部
１２  記憶部
１３  操作キー部
１３ａ  十字キー
１３ｂ  決定キー
１３ｃ  おまかせキー
１３ｄ  おこのみキー
１３ｅ  運転／停止キー
１３ｆ  温度キー
１３ｇ  風量キー
１３ｈ  おしらせキー
１３ｉ  冷房キー
１３ｊ  暖房キー
１３ｋ  除湿キー
１３ｍ  送風キー
１３ｎ  蓋
１３ｏ  自動運転キー
１３ｐ  ランドリーキー
１３ｑ  電流カットキー
１３ｒ  ハイパワーキー
１３ｓ  不在ＥＣＯキー
１３ｔ  タイマキー
１４  表示部
１５  送受信部
２０  室内機
２１  制御部
２２  送受信部
２３  記憶部
２４  通信部
２５  検知部
２６  運転部
２７  主筐体
２８  筐体本体
２９  外装パネル
３０  中央吹出口
３０ａ  前端
３０ｂ  後端
３１ａ、３１ｂ  上下風向板
３２ａ、３２ｂ、３５  水平軸線
３６  サイドパネル
３７  側面吸込口
４０  室外機
４１  冷凍回路
４２  四方弁
４２ａ  第１口
４２ｂ  第２口
４２ｃ  第３口
４２ｄ  第４口
４３  圧縮機
４３ａ、４３ｂ  吐出管
４４  室外熱交換器
４５  膨張弁
４６  室外ファン
５０  冷媒管
２６１  左ファンユニット
２６１０  気流
２６２  右ファンユニット
２６２０  気流
２６３  本体ユニット
２６３０  気流
２６４  室内熱交換器
２６５  中央送風ファン
３３１  左サイドファン筐体
３３２  右サイドファン筐体
３４１  左吹出口
３４２  右吹出口
【図１】
2014115002.tif 000003
【図２】
2014115002.tif 000004
【図３】
2014115002.tif 000005
【図４−１】
2014115002.tif 000006
【図４−２】
2014115002.tif 000007
【図５】
2014115002.tif 000008
【図６】
2014115002.tif 000009
【図７】
2014115002.tif 000010
【図８】
2014115002.tif 000011
【図９−１】
2014115002.tif 000012
【図９−２】
2014115002.tif 000013
【図１０】
2014115002.tif 000014
【図１１】
2014115002.tif 000015
【図１２】
2014115002.tif 000016
【図１３】
2014115002.tif 000017
【図１４】
2014115002.tif 000018
【図１５】
2014115002.tif 000019
【図１６】
2014115002.tif 000020
【図１７】
2014115002.tif 000021
【図１８】
2014115002.tif 000022
【図１９】
2014115002.tif 000023